(57)【特許請求の範囲】
【請求項１】
複数の画素を含むチップを複数有する印字ヘッドを備える印刷装置であって、
ピント判定の対象である前記印字ヘッドからの情報に基づいて形成されたピント判定テストパターンを転写ベルトから読み取る読取手段と、
該読取手段によって読み取られたピント判定テストパターンを解析し、前記各画素の印字濃度に基づいて前記チップ毎の前記印字濃度の標準偏差を計算する第１の計算手段と、
全てのチップの該計算結果が所定の閾値を越える場合に、ピントが良いと判定する判定手段と、
を有し、
前記読取手段は装置内に設けられ、
前記第１の計算手段は、前記ピント判定テストパターンが形成された前記転写ベルトから読み出したデータに基づいて、前記計算を行い、
前記ピント判定用テストパターンは、既定の数のドット毎にオン、オフを繰り返す画像データであることを特徴とする印刷装置。
【請求項２】
前記標準偏差は、前記各画素の印字濃度が薄いときに大きい値となり、前記各画素の印字濃度が濃いときに小さい値となることを特徴とする請求項１記載の印刷装置。
【請求項３】
複数の画素を含むチップを複数有する印字ヘッドを備える印刷装置におけるピント判定方法であって、
ピント判定の対象である前記印字ヘッドからの情報に基づいて形成されたピント判定テストパターンを転写ベルトから読み取る読取処理と、
該読取手段によって読み取られたピント判定テストパターンを解析し、前記各画素の印字濃度に基づいて前記チップ毎の前記印字濃度の標準偏差を計算する第１の計算処理と、
全てのチップの該計算結果が所定の閾値を越える場合に、ピントが良いと判定する判定処理と、
を実行し、
前記読取手段は装置内に設けられ、
前記第１の計算処理において、前記ピント判定テストパターンが形成された前記転写ベルトから読み出したデータに基づいて、前記計算を行い、
前記ピント判定用テストパターンは、既定の数のドット毎にオン、オフを繰り返す画像データであることを特徴とするピント判定方法。
【請求項４】
複数の画素を含むチップを複数有する印字ヘッドを備える印刷装置におけるピント判定方法をコンピュータに実現させるためのピント判定プログラムであって、
ピント判定の対象である前記印字ヘッドからの情報に基づいて形成されたピント判定テストパターンを転写ベルトから読み取る読取処理と、
該読取手段によって読み取られたピント判定テストパターンを解析し、前記各画素の印字濃度に基づいて前記チップ毎の前記印字濃度の標準偏差を計算する第１の計算処理と、
全てのチップの該計算結果が所定の閾値を越える場合に、ピントが良いと判定する判定処理と、
を実行し、
前記読取手段は装置内に設けられ、
前記第１の計算処理において、前記ピント判定テストパターンが形成された前記転写ベルトから読み出したデータに基づいて、前記計算を行い、
前記ピント判定用テストパターンは、既定の数のドット毎にオン、オフを繰り返す画像データであることを特徴とするピント判定プログラム。
【発明の詳細な説明】
【技術分野】
【０００１】
本発明は、複数の画素を含むチップを複数有する印字ヘッドを備える印刷装置、該印刷装置におけるピント判定方法、及び、該ピント判定方法をコンピュータに実現させるためのピント判定プログラムに関する。
【背景技術】
【０００２】
プリンタ等の画像形成装置において、ＬＥＤ素子等を使用した印字ヘッドが使用されている。この印字ヘッドは、印刷データに従った発光を感光体ドラムに行うものであり、ライン状に多くのＬＥＤ素子を配設し、感光体ドラムに発光を行う。この発光は各ＬＥＤ素子毎にレンズが形成された結像レンズアレイを介して行われ、感光体ドラムの感光面に静電潜像を形成する。
この場合、ＬＥＤ素子からの発光の焦点が感光面上で一致していることが必要である。このため、従来ピント調整が行われ、印字ヘッドと感光体ドラムの相対位置が調整されている。例えば、記録紙上に形成される印字濃度を目視によって判定し、印字ヘッドの位置調整を行っている。
また、印字ズレや、白又は黒の帯状、又はスジ状のストリークスの発生、更にカスレ等に対しても、記録紙に画像形成を行い、目視による判定を行っている。
【０００３】
特許文献１は、印字ヘッドのピントを調整するピント調整装置に関し、特に画像形成状態を比較し、当該状態が一致した距離の真ん中を真の焦点位置とすることによって、高度な調整技術を必要としない印字ヘッドのピント調整装置を提供する。
【先行技術文献】
【特許文献】
【０００４】
【特許文献１】特開２００３−１１２４４１号公報
【発明の概要】
【発明が解決しようとする課題】
【０００５】
しかしながら、従来の場合、ピントのセンタ位置を推測し、画像を目視することによって判定している。このため、ピント位置や、印字ズレ等の判定にバラツキが生じ、印字品質の良否の判定を正確に行うことができなかった。
そこで、本発明はピント、ストリークス、カスレ等の判定を自動的に行うと共に、正確な印字品質の良否の判定を行い、必要な調整や、消耗品及び不良品の交換を的確に行うことができる印刷装置を提供するものである。
【課題を解決するための手段】
【０００６】
上記課題は第１の発明によれば、複数の画素を含むチップを複数有する印字ヘッドを備える印刷装置であって、
ピント判定の対象である前記印字ヘッドからの情報に基づいて形成されたピント判定テストパターンを転写ベルトから読み取る読取手段と、
該読取手段によって読み取られたピント判定テストパターンを解析し、前記各画素の印字濃度に基づいて前記チップ毎の前記印字濃度の標準偏差を計算する第１の計算手段と、
全てのチップの該計算結果が所定の閾値を越える場合に、ピントが良いと判定する判定手段と、
を有し、
前記読取手段は装置内に設けられ、
前記第１の計算手段は、前記ピント判定テストパターンが形成された前記転写ベルトから読み出したデータに基づいて、前記計算を行い、
前記ピント判定用テストパターンは、既定の数のドット毎にオン、オフを繰り返す画像データであることを特徴とする印刷装置を提供することによって達成できる。
好ましくは、前記標準偏差は、前記各画素の印字濃度が薄いときに大きい値となり、前記各画素の印字濃度が濃いときに小さい値となる。
また、上記課題は第２の発明によれば、複数の画素を含むチップを複数有する印字ヘッドを備える印刷装置におけるピント判定方法であって、
ピント判定の対象である前記印字ヘッドからの情報に基づいて形成されたピント判定テストパターンを転写ベルトから読み取る読取処理と、
該読取手段によって読み取られたピント判定テストパターンを解析し、前記各画素の印字濃度に基づいて前記チップ毎の前記印字濃度の標準偏差を計算する第１の計算処理と、
全てのチップの該計算結果が所定の閾値を越える場合に、ピントが良いと判定する判定処理と、
を実行し、
前記読取手段は装置内に設けられ、
前記第１の計算処理において、前記ピント判定テストパターンが形成された前記転写ベルトから読み出したデータに基づいて、前記計算を行い、
前記ピント判定用テストパターンは、既定の数のドット毎にオン、オフを繰り返す画像データであることを特徴とするピント判定方法を提供することによって達成できる。
また、上記課題は第３の発明によれば、複数の画素を含むチップを複数有する印字ヘッドを備える印刷装置におけるピント判定方法をコンピュータに実現させるためのピント判定プログラムであって、
ピント判定の対象である前記印字ヘッドからの情報に基づいて形成されたピント判定テストパターンを転写ベルトから読み取る読取処理と、
該読取手段によって読み取られたピント判定テストパターンを解析し、前記各画素の印字濃度に基づいて前記チップ毎の前記印字濃度の標準偏差を計算する第１の計算処理と、
全てのチップの該計算結果が所定の閾値を越える場合に、ピントが良いと判定する判定処理と、
を実行し、
前記読取手段は装置内に設けられ、
前記第１の計算処理において、前記ピント判定テストパターンが形成された前記転写ベルトから読み出したデータに基づいて、前記計算を行い、
前記ピント判定用テストパターンは、既定の数のドット毎にオン、オフを繰り返す画像データであることを特徴とするピント判定プログラムを提供することによって達成できる。
【発明の効果】
【０００７】
本発明によれば、自動的にピント判定を行うことができる。
【図面の簡単な説明】
【０００８】
【図１】印刷装置のシステム構成を説明する図である。
【図２】本実施形態を説明する印刷装置の内部構成を説明する概略断面図である。
【図３】ホスト機器から出力される検査用テストチャートの例を示す図である。
【図４】表示操作部の構成を説明する図である。
【図５】テストパターン印字の処理動作を説明するフローチャートである。
【図６】感光体ドラムに供給する帯電電圧を説明する図である。
【図７】画像判定処理を説明するフローチャートである。
【図８】ピントの判定方法を説明する図であり、（ａ）はピントが良い例を示す図であり、（ｂ）はピントが悪い例を示す図であり、（ｃ）はピントの判定の基準となる計算式を示すものである。
【図９】ピント良否の判定例を示す図である。
【図１０】（ａ）は、網点２５％の６００ＤＰＩの画素に対してストリークス判定を行う構成を示す図であり、（ｂ）は、計算式を示す図であり、（ｃ）は、白又は黒帯の判定例を示す図であり、（ｄ）は、白又は黒スジの判定例を示す図である。
【図１１】ストリークスが存在する画像に対する白又は黒帯を画像データより抽出した解析例を示す図であり、（ａ）は、閾値に従って白又は黒帯の判定結果を示すものであり、（ｂ）は、上記解析結果を示す図である。
【図１２】ストリークスが存在する画像に対する白又は黒スジを画像データより抽出した解析例を示す図であり、（ａ）は、閾値に従って白又は黒スジの判定結果を示す図であり、（ｂ）は、解析結果を示す図である。
【図１３】（ａ）は、プロセスストリークス及び印字ヘッドのストリークスを含む解析結果であり、（ｂ）は、プロセススストリークスのみのストリークスを含む解析結果である。
【図１４】レンズムラの判定方法を説明する図である。
【図１５】画像カスレの判定例を示す図である。
【図１６】本実施形態の変形例の印刷装置の内部構成を説明する概略断面図である。
【発明を実施するための形態】
【０００９】
以下、本発明の実施の形態を図面に基づいて説明する。
図２は、本発明の実施形態を説明する印刷装置の内部構成を説明する概略断面図である。尚、本例で使用する印刷装置１には、画像読み取り装置２が設けられている。
【００１０】
同図において、印刷装置１は、画像形成部３、中間転写媒体４、給紙部５、及び定着部６で構成され、上記画像読み取り装置２が上部に配設されている。画像形成部３は４個の画像形成ユニットを並設した構成であり、同図の紙面右側から左側に向かって画像形成ユニット３Ｍ（マゼンダ用画像形成ユニット）、３Ｃ（シアン用画像形成ユニット）、３Ｙ（イエロー用画像形成ユニット）、３Ｋ（ブラック用画像形成ユニット）の順に配設されている。尚、マゼンダ（Ｍ）、シアン（Ｃ）、イエロー（Ｙ）の画像形成ユニット３Ｍ〜３Ｙは減法混色によりカラー印刷に使用し、ブラック（Ｋ）の画像形成ユニット３Ｋはモノクロ印刷に使用する。
【００１１】
ここで、上記各画像形成ユニット３Ｍ〜３Ｋは、現像容器に収納されたトナー（の色）を除き同じ構成であり、感光体ドラム８と、この感光体ドラム８の周面近傍に配設された帯電器９、印字ヘッド１０、現像ロール１１が順次配設され、感光体ドラム８を矢印方向に回動し、帯電器９から電荷を付与し、印字ヘッド１０からの印字情報に基づく光書き込みにより、感光体ドラム８の周面に静電潜像を形成し、現像ロール１１による現像処理によってトナー像を形成する。
【００１２】
中間転写媒体４は転写ベルト１２、及び転写ベルト１２を回動させる駆動ロール１３、従動ロール１４等で構成され、感光体ドラム８に形成されたトナー像は転写ベルト１２に転写され、駆動ロール１３の駆動によって転写部１５に送られる。転写部１５には給紙部（給紙カセット）５から搬出された用紙が搬送ローラ１６によって供給され、転写ベルト１２上のトナー画像は用紙に転写され、定着部６によって用紙に熱定着される。
【００１３】
一方、画像読み取り装置２には原稿読み取りユニット２０、及びＡＤＦ（オートドキュメントフィーダ）が設けられている。原稿読み取りユニット２０には光源２２、ミラー２３、原稿台モータ２４、及びＣＣＤユニット２５が設けられ、原稿台モータ２４を駆動することによって原稿台ガラス２７上に載置された原稿画像が読み取られる。
【００１４】
図１は、上記構成の印刷装置１のシステム構成を説明する図である。上記のように印刷装置１には画像読み取り装置２が設けられ、また印刷装置１はインターフェースコントローラ（以下、Ｉ／Ｆコントローラで示す）３０、及びエンジンコントローラ３１で構成されている。また、本例の印刷装置１にはパーソナルコンピュータ（ＰＣ）等のホスト機器３３が接続されている。尚、エンジンコントローラ３１の出力には前述の印字ヘッド１０が接続されている。
【００１５】
ホスト機器３３から出力される印刷データは、ＬＡＮインターフェース３４、又はＵＳＢインターフェース３５を介して画像処理部３６に供給され、受信バッファとしての機能を有するメモリ部３８に一旦格納される。Ｉ／Ｆコントローラ３０内のＣＰＵ３７は、メモリ部３８に格納された印刷データのコマンドを解析し、ビットマップデータに変換し、メモリ部３８の描画エリアに展開される。そして、例えば１頁分の画像データが展開されると、ビデオＩ／Ｆ３９によってエンジンコントローラ３１に印刷開始を指示し、以後エンジンコントローラ３１から出力される水平同期信号に従って１ライン毎に画像データがエンジンコントローラ３１に転送される。
【００１６】
エンジンコントローラ３１は、ヘッド制御部４０、ＣＰＵ４１、メモリ部４２で構成され、ＣＰＵ４１の制御に従ってＩ／Ｆコントローラ３０から転送された画像データを印字ヘッド１０に転送し、前述の用紙への印刷処理を行う。尚、前述の感光体ドラム８等への高圧電源の供給は、高圧制御部４３の制御に従って行われる。
【００１７】
一方、前述の画像読み取り装置２は、ＣＣＤユニット２５（ＣＣＤセンサ２５ａ）、アナログ・デジタル変換回路（以下、Ａ／Ｄ変換回路で示す）４５、ＭＣＵ４８、原稿台モータ２４、及びＡＤＦモータ２６で構成され、ＣＣＤセンサ２５ａによって読み取られたデータはＡ／Ｄ変換回路４５、ＭＣＵ４８を介してＩ／Ｆコントローラ３０に送信され、画像処理部３６に供給される。
【００１８】
図３は、上記ホスト機器３３から出力される検査用テストチャートの例を示す。尚、同図の例は、各テストチャートが用紙のどの位置に印刷されるかも示す図である。この検査用テストチャートは、ピント判定用テストパターン、ストリークス判定用テストパターンであり、領域Ａに上記ピント判定用テストパターンの情報が印刷され、領域Ｂにストリークス判定用テストパターンの情報が印刷され、領域Ｃには後述するかぶり画像が印刷される。
【００１９】
ピント判定用テストパターンは、例えば２ドットのオン／オフ画像のデータであり、ストリークス判定用テストパターンは、例えば１００〜２００ＬＰＤの網点画像のデータである。また、領域Ｃのストリークス判定用エリアには意図的に無露光、弱帯電状態で画像形成されるかぶり画像が印刷される。
【００２０】
次に、本例の処理動作を説明する。
先ず、図４に示す「テストパターン印字」のボタン５２を押下すると、図５に示すフローチャートに従った処理が開始される。先ず、ピント判定用テストパターンのデータがホスト機器３３から印刷装置１に転送される（ステップ（以下、Ｓで示す）１）。このデータは、前述のようにＩ／Ｆコントローラ３０の画像処理部３６に入力し、メモリ部３８（受信バッファ）に格納される。
【００２１】
次に、ホスト機器３３からストリークス判定用テストパターンのデータが転送される（Ｓ２）。このデータもＩ／Ｆコントローラ３０の画像処理部３６に入力し、メモリ部３８（受信バッファ）に格納される。ＣＰＵ３７はテストパターンの入力が完了すると、コマンド解析を行い、ビデオＩ／Ｆ３９を介してエンジンコントローラ３１へテストパターンの画像データを出力し、ヘッド制御部４０の制御に従って用紙に印刷処理を行う。
【００２２】
上記用紙への印刷処理の際、上記ピント判定用テストパターンの印字、及びストリークス判定用テストパターンの印字が行われた後、帯電電圧の切り替え処理を行う（Ｓ３）。すなわち、ＣＰＵ４１の制御に従って高圧制御部４３の電圧出力制御を行い、前述の帯電器９への供給電圧を切り替える。例えば、前述の領域Ｃへの印字において、高圧の印加電圧を下げる切り替えを行う。
【００２３】
図６は、感光体ドラム８への帯電電圧の設定例を示す。例えば、領域Ａへのピント判定用テストパターンの印字、及び領域Ｂへのストリークス判定用テストパターンの印字の際、−５００Ｖの高電圧を印加し、領域Ｃにおいて帯電電圧を−２５５Ｖ、−２７５Ｖ、−３００Ｖ、−３２５Ｖに切り替える。ここで、本例では領域Ｃにおける帯電電圧を４段階で切り替える理由は、領域Ｃに対応する無露光画像形成時において、感光体ドラム８の特性を考慮して４段階に設定するものである。
【００２４】
以上の処理によって、印刷装置２から図３に対応する検査用テストチャートの印刷結果が出力される。
次に、上記処理によって印刷出力されたテストパターンが印刷された用紙を前述の原稿ガラス台２７に載置し、画像読み取り装置２を駆動する。すなわち、原稿台モータ２４を駆動すると共に、光源２２からの発光をミラー２３を介して上記用紙に照射し、その反射光をＣＣＤセンサ２５ａで検出する。
【００２５】
図７は上記ＣＣＤセンサ２５ａで検出した原稿画像の処理を説明するフローチャートであり、ＣＣＤセンサ２５ａで検出した原稿画像のデータは、前述のＭＣＵ４８の制御によって、Ｉ／Ｆコントローラ３０の画像処理部３６に転送される（ステップ（以下、ＳＴで示す）１）。そして、一旦メモリ部３８に格納される。
【００２６】
次に、図４に示す「画像判定」のボタン５３が押下されると、メモリ部３８に格納された画像の検査処理を開始する（ＳＴ２）。すなわち、ＣＰＵ３７の制御に従ってメモリ部３８に格納した画像データを読み出し、以下の検査を行う。
【００２７】
先ず、ピント判定を実行する（ＳＴ３）。この処理は、前述の図３に示す領域Ａに印字されたピント判定用テストパターンの画像データに基づいてピントの良否を判定する。
図８は、ピントの判定方法を示す図である。同図（ａ）はピントが良い場合を示し、同図（ｂ）はピントが悪い場合を示す。また、同図（ｃ）はピント判定の基準となる計算式を示す。また、同図（ａ）、（ｂ）において、縦方向は振幅を示し、横方向は画素（ドット）の配列方向を示す。
【００２８】
本例においては、１９２個の発光素子を有するチップを４０個主走査方向に配設した印字ヘッドを使用しており、ピント判定用テストパターンは、前述のように２ドット毎にオン、オフを繰り返す画像データである。したがって、同図（ａ）、（ｂ）において、斜線を付した円は印字ドットを示し、白抜きの円は非印字ドットを示す。
【００２９】
同図（ａ）に示すピントが良い例の場合、振幅が大きく、平均濃度は一点鎖線ａ１で示すように低い（薄い）結果となる。一方、同図（ｂ）に示すピントが悪い例の場合、振幅が小さく、平均濃度は一点鎖線ａ２で示すように高い（濃い）結果となる。
【００３０】
したがって、本例においては、上記特性を利用してピントの解析を行い、所定の閾値の前後でピントの良否を判定するものである。具体的には、同図（ｃ）の計算式を使用し、ピントの良否を判定する。
【００３１】
この計算式は、４０個もチップ単位で印字ヘッドの良否を判定するものであり、ｎは１チップに含まれるデータ数であり、例えば１９２である。また、Ｘiは対象画素（対象チ 
ップ）の印字濃度のレベルである振幅を示し、Ｘaveはチップ内画素データの平均値を示
す。したがって、この計算式は、対象画素の標準偏差を示すものである。
【００３２】
したがって、ピントの良否は対象画素毎（対象チップ毎）に計算した標準偏差の結果に対して、一定の閾値で良不良を判定する。図９は具体的な例を示す図であり、例えば、閾値が“２０”に設定されているとき、上記計算式に従ってｂに示す結果が得られた場合、全ての計算結果が閾値以上であり、ピントが良い印字ヘッドであると判定する。一方、同図に示すｃの結果が得られた場合、全ての計算結果が閾値以下であり、ピントが悪い印字ヘッドであると判定する。
【００３３】
このように処理することによって、自動的にピント判定を行うことができる。また、この判定結果は図４に示す簡易表示され、例えばピント判定の結果、ピントズレが判明した場合、「ＮＧ」が表示される。この場合、例えば不図示のピント調整機構によってピント調整を行う。また、印字ヘッドの交換を行う。
【００３４】
次に、ストリークスの判定処理を行う（ＳＴ４）。
このストリークスは印刷画像上にレンズムラによるスジ状、又は帯状のカスレが生じる現象であり、前述の図３に示す領域Ｂに印字されたストリークス判定用テストパターンの画像データに基づいてストリークスの判定を行う。
【００３５】
図１０はストリークス判定方法を説明する図であり、１５０ＤＰＩのスクリーン角０度の網点例を示す。本例の処理は、注目画素に隣接する周辺画素の濃度段差を抽出することによってストリークスの判定を行う。
【００３６】
例えば、同図（ａ）に示す例は、網点２５％の６００ＤＰＩの画素に対してストリークス判定を行う構成であり、注目画素を４画素とし、周辺画素を例えば３２画素としてストリークス判定を行う例である。この場合、注目画素を主走査方向（矢印方向）に１ドット毎にシフトし、同図（ｂ）に示す計算式に従って注目画素に対する周辺画素の移動平均の差を計算する。
【００３７】
尚、上記計算式において、Ｘiは注目画素の画素データを示し、ｎは注目画素のデータ
数を示し、Ｙiは周辺画素の画素データを示し、ｍは周辺画素のデータ数を示す。また、
上記例では網点２５％の例について説明したが、網点１２％、３３％、４８％等についても同様に計算することができる。
【００３８】
同図（ｃ）は、白又は黒帯の判定例を示す図である。白又は黒帯のストリークスを判定するためには、注目画素の画素数として、比較的大きな８画素を使用し、周辺画素として１９２画素を使用する。この場合、大きな濃度段差が存在すると、同図（ｃ）に示すように、スキャンデータの振幅が大きくなり、閾値を越えるか否かによってストリークスの判定を行う。
【００３９】
また、同図（ｄ）は、白又は黒スジの判定例を示す図であり、白又は黒スジのストリークスを判定するためには、注目画素の画素数として、例えば比較的小さな４画素を使用し、周辺画素として３２画素を使用する。この場合も、大きな濃度段差が存在すると、同図（ｄ）に示すように、スキャンデータの振幅が大きくなり、同様に所定の閾値を越えるか否かによってストリークスの判定を行う。
【００４０】
図１１は、ストリークスが存在する画像に対する白又は黒帯を画像データより抽出した解析例を示す図である。同図（ｂ）は上記計算結果を示す図であり、例えばストリークスの閾値を±５とし、それ以上の濃度差の位置をＮＧとしている。同図（ａ）は上記閾値に従って白又は黒帯の判定結果を示すものである。尚、同図（ａ）に示す白帯は−（マイナス）５以下の閾値を越える場合であり、黒帯は＋（プラス）５以上の閾値を越える場合である。
【００４１】
一方、図１２は、ストリークスが存在する画像に対する白又は黒スジを画像データより抽出した解析例を示す図であり、同図（ｂ）は上記計算結果を示す図であり、同様にストリークスの閾値を±５とし、それ以上の濃度差の位置をＮＧとしている。この場合も、同図（ａ）は上記閾値に従って白又は黒スジの判定結果を示すものである。尚、同図（ａ）に示す白スジは−（マイナス）５以下の閾値を越える場合であり、黒スジは＋（プラス）５以上の閾値を越える場合である。
【００４２】
以上のように、網点画像の画像データを解析することによって、白又は黒帯、白又は黒スジを数値化し、ストリークスが許容範囲にあるか否かを判定することによって、自動的にストリークスの良否を判定することができる。
また、ストリークス判定の結果は、図４に示すように簡易表示され、例えばストリークス不良が判明した場合ストリークスに表示が行われる。この場合、例えば光量補正値の調整を行う。また、印字ヘッドの交換を行う。
【００４３】
次に、ストリークスが発生する場合として、ストリークス発生の原因が前述の感光体ドラム８や現像ロール１１等のプロセス不良によって発生したものであるか、又は印字ヘッドの印字ムラに基づくものであるかを判定する処理を説明する。
【００４４】
前述のように、領域Ｂへのストリークス判定用テストパターンの印字においては、−５００Ｖの高電圧を印加し、白又は黒帯や白又は黒スジを判断している。また、領域Ｃへの印字の際には、帯電電圧を−２５５Ｖ、−２７５Ｖ、−３００Ｖ、−３２５Ｖに切り替え、印字ヘッド１０からの露光を行わない状態で、印字処理を行っている。したがって、領域Ｃに形成される画像は、意図的に画像形成部品の不良が強調されて画像形成に現れるように画像形成条件が設定されているので、プロセスの特性に基づく所謂かぶり画像となる。
【００４５】
図１３（ｂ）は、領域Ｃに形成されるストリークス画像であり、同図（ａ）は前述の図１２に示すストリークス画像である。したがって、同図（ａ）、（ｂ）の解析結果を比較することによって、ストリークスの原因がプロセスによるものか、又は印字ヘッド１０のバラツキによるものか判定することができる。
【００４６】
例えば、図１３（ａ）に示す白スジＡ１は、同図（ｂ）にも存在し、所謂プロセスストリークスである。また、図１３（ａ）に示す白スジＡ２も、同図（ｂ）に存在し、プロセスストリークスである。一方、図１３（ａ）に示す白スジＡ３は、同図（ｂ）には存在せず、印字ヘッド１０によるストリークスである。
【００４７】
同様にして、図１３（ａ）に示す白スジＡ４、Ａ５、Ａ６は、同図（ｂ）にも存在し、プロセスストリークスであり、図１３（ａ）に示す黒スジＡ７は、同図（ｂ）には存在せず、印字ヘッド１０によるストリークスである。
【００４８】
以上のように、領域Ｃの画像データである同図（ｂ）にのみ存在する白又は黒スジは、プロセスに基づくストリークスであり、領域Ｂの画像データにも含まれる白又は黒スジは印字ヘッド１０のバラツキに基づくストリークスであることが分かる。
【００４９】
したがって、本例の処理によって、不良箇所を知ることができ、例えばプロセス不良である場合には、例えば感光体ドラム８を含むドラムセットや、現像器を含むトナーセットを交換し、印字ヘッド１０のバラツキである場合には、印字ヘッド１０の交換を行う。また、その判断は、図４に示す表示によって容易に知ることができる。
【００５０】
次に、レンズムラの良否判定について説明する。
図１４は本例の処理を説明する図であり、セルフォックレンズ（ＳＬＡ）とＬＥＤアレイの結像点の位置ズレを検出する構成である。
【００５１】
同図（ａ）は、レンズムラが大きい場合の例を示し、同図（ｂ）は、レンズムラが小さい場合の例を示す。両図からレンズムラが大きい場合（濃度ムラが大きく場合）、特に周期１３．５ドット（約０．６ｍｍ）で顕著となる。
【００５２】
本例では、画像データを同図（ｃ）に示す計算式によって計算する。ここで、Ｔはデータ量であり、この演算結果によって、判定を行う。同図（ｄ）はレンズムラが大きい場合のパワースペクトルを示し、同図（ｅ）はレンズムラが小さい場合のパワースペクトルを示す。このパワースペクトルをデシベル（ｄＢ）換算した図が、同図（ｆ）、（ｇ）である。
【００５３】
ここで、レンズムラの閾値を６５ｄＢに設定すると、同図（ｆ）に示すレンズムラが大きい場合、上記１３．５ドット（約０．６ｍｍ）付近が閾値を超える。一方、同図（ｇ）に示すレンズムラが小さい場合、上記１３．５ドット（約０．６ｍｍ）付近は閾値以下である。
【００５４】
このように処理することによって、自動的にレンズムラを検出することができ、例えばレンズムラが検出された場合、光量補正値の調整や、印字ヘッドの交換等を行う。
【００５５】
また、画像データの濃度レベルにより、画像のカスレについても判定可能である。この場合の判定処理を図１５に示す。この場合も、所定の閾値を設定し、カスレの良否を判定する。同図の例では、濃度レベル“１６５”を閾値として、カスレの良否を判定している。
【００５６】
尚、図１６は本発明の変形例を示す印刷装置の構成図である。
同図に示す印刷装置は、原稿読み取りユニット２０を使用することなく、転写ベルト１２に形成されたトナー画像をセンサ５０によって読み取り、前述のピント判定やストリークス判定を行う構成である。尚、ピント判定やストリークス判定の具体的な方法については、前述の実施形態における説明と同様である。
【００５７】
また、図１６において、センサの配設位置については、上記転写ベルト１２の下方に限らず、定着器６を通過した後の用紙搬送路近傍に設ける構成としてもよい。例えば、同図に示すセンサ５１は、定着器６を通過した後の用紙搬送路近傍に設けたものである。
【符号の説明】
【００５８】
１・・・印刷装置
２・・・画像読み取り装置
３・・・画像形成部
４・・・中間転写媒体
５・・・給紙部
６・・・定着部
８・・・感光体ドラム
９・・・帯電器
１０・・印字ヘッド
１１・・現像ロール
１２・・転写ベルト
１３・・駆動ロール
１４・・従動ロール
１５・・転写部
２０・・原稿読み取りユニット
２１・・ＡＤＦ
２２・・光源
２３・・ミラー
２４・・原稿台モータ
２５・・ＣＣＤユニット
２７・・原稿台ガラス
３０・・Ｉ／Ｆコントローラ
３１・・エンジンコントローラ
３３・・ホスト機器
３４・・ＬＡＮインターフェース
３５・・ＵＳＢインターフェース
３６・・画像処理部
３８・・メモリ部
３９・・ビデオＩ／Ｆ
４０・・ヘッド制御部
４１・・ＣＰＵ
４２・・メモリ部
４３・・高圧制御部
４５・・アナログ・デジタル変換回路
４６・・原稿台モータ
４７・・ＡＤＦモータ
４８・・ＭＣＵ
５０、５１・・センサ
５２、５３・・ボタン
【図１】
0005464287.tif 000002
【図２】
0005464287.tif 000003
【図３】
0005464287.tif 000004
【図４】
0005464287.tif 000005
【図５】
0005464287.tif 000006
【図６】
0005464287.tif 000007
【図７】
0005464287.tif 000008
【図８】
0005464287.tif 000009
【図９】
0005464287.tif 000010
【図１０】
0005464287.tif 000011
【図１４】
0005464287.tif 000012
【図１５】
0005464287.tif 000013
【図１６】
0005464287.tif 000014
【図１１】
0005464287.tif 000015
【図１２】
0005464287.tif 000016
【図１３】
0005464287.tif 000017